(57)【要約】【課題】シートを型枠内面部にしわなくきれいに設置することができ、しかも、それを誰もが容易に行える、シートのしわ取り機構を提供する。【解決手段】型枠２の内面のシート５の端部を型枠２の外に導出する導出口４と、該導出口４から導出されたシート５を巻き取る回転可能な軸体８とが備えられている。軸体８は長手方向のいずれかの位置を支点にして傾倒させることができるようになされて、軸体８を回転させてシート５に巻取り引張り力を付与しながら傾倒操作をすることにより、シート５の上縁側のしわ及び同下縁側のしわを伸ばすことができるようになされている。そして、シート５のしわを伸ばした状態で軸体８の回転動作と傾倒動作をロックするロック機構１１，１２が備えられている。【選択図】      図１
2007077685.tif 000002
【特許請求の範囲】
【請求項１】
型枠内面に水平方向に延びるように設置されるシートの端部を型枠の外に導出する導出口と、該導出口から導出されたシートを巻き取る回転可能な軸体とが備えられ、
該軸体は長手方向のいずれかの位置を支点にして傾倒させることができるようになされて、該軸体を回転させてシートに巻取り引張り力を付与しながら傾倒操作をすることにより、シートの上縁側のしわ及び同下縁側のしわを伸ばすことができるようになされており、かつ、
シートのしわを伸ばした状態で軸体の回転動作と傾倒動作をロックするロック機構が備えられていることを特徴とする、型枠内面に設置されるシートのしわ取り機構。
【発明の詳細な説明】
【技術分野】
【０００１】
本発明は、型枠内面に設置されるシートのしわ取り機構に関する。
【背景技術】
【０００２】
例えば、建物の基礎コンクリートを打設するのに用いられる型枠において、型枠の内面部に、遅延剤付きシートや透水シートなど、各種目的でシートを設置する場合、型枠内面に設置したシートにしわを生じてしまうことがあり、そのしわはコンクリートの表面にしわ痕となって転写されてしまう。
【０００３】
そのため、そのようなしわを生じさせないようにシートを設置する必要があるが、それがなかなかに難しいという問題がある。
【発明の開示】
【発明が解決しようとする課題】
【０００４】
本発明は、上記のような問題点に鑑み、シートを型枠内面部にしわなくきれいに設置することができ、しかも、それを誰もが容易に行える、型枠内面に設置されるシートのしわ取り機構を提供することを課題とする。
【課題を解決するための手段】
【０００５】
上記の課題は、型枠内面に水平方向に延びるように設置されるシートの端部を型枠の外に導出する導出口と、該導出口から導出されたシートを巻き取る回転可能な軸体とが備えられ、
該軸体は長手方向のいずれかの位置を支点にして傾倒させることができるようになされて、該軸体を回転させてシートに巻取り引張り力を付与しながら傾倒操作をすることにより、シートの上縁側のしわ及び同下縁側のしわを伸ばすことができるようになされており、かつ、
シートのしわを伸ばした状態で軸体の回転動作と傾倒動作をロックするロック機構が備えられていることを特徴とする、型枠内面に設置されるシートのしわ取り機構によって解決される。
【０００６】
このしわ取り機構によれば、型枠内面に設置されたシートは、該シートの端部が巻き付けられた軸体を回転させることによって引っ張り力を受け、型枠内面部において張った状態になることができ、その状態で軸体を傾倒操作すれば、シートの上縁側又は下縁側に残っているしわを伸ばすことができ、その状態でロック機構により軸体の回転動作と傾倒動作をロックすれば、シートを型枠内面部に対してしわのないきれいな設置状態にすることができる。
【０００７】
しかも、軸体へのシートの巻き付けと、軸体の回転操作と、軸体の傾倒操作と、ロック操作を行うだけで、それを実現できて、特別な技量を必要とせず、誰もが容易に行うことができる。
【発明の効果】
【０００８】
本発明は、以上のとおりのものであるから、シートを型枠内面部にしわなくきれいに設置することができ、しかも、それを誰もが容易に行うことができる。
【発明を実施するための最良の形態】
【０００９】
次に、本発明の実施最良形態を図面に基づいて説明する。
【００１０】
図１〜図４に示す実施形態のしわ取り機構１は、型枠のコーナー部に設置したもので、互いに直交する型枠２，２間に機枠３がわたされ、該機枠３には、縦向きスリット状のシート導出口４が備えられ、各型枠２，２の内面に水平方向に延びるように設置したシート５，５の端部を導出口４を通じて型枠２，２の外に導出することができるようになされている。
【００１１】
そして、機枠３には、外方に張り出す上下のプレート部３ａ，３ｂが備えられ、該上下のプレート部３ａ，３ｂにはそれぞれ孔６，７が設けられ、これら孔６，７に通すようにしてシート巻取り用の軸体８が上下のプレート部３ａ，３ｂに回転可能にわたされている。該軸体８は、その下端部の下部抜止め材９によって下プレート部３ｂの孔６からの上方への抜けを阻止されるようになされていると共に、下プレート部３ｂを挟んで下部抜止め材９と隣り合うように設けられた上部抜止め材１０によって下プレート部３ｂの孔６からの下方への抜けを阻止されるようになされており、また、軸体８の上端部は上プレート部３ａの上方に突出し、該突出軸部８ａを、軸体８の回転操作部としている。
【００１２】
また、下プレート部３ｂの孔６は、軸体８の回転動作と傾倒動作を許容しながら軸体下端側の位置を拘束するサイズの丸孔に形成されており、上プレート部３ａの孔７は、シート５の導出方向に長い長孔に形成されていて、軸体回転操作部８ａを操作し、軸体８を該長孔７に沿って移動させることにより、該軸体８に傾倒動作を行わせることができるようになされている。
【００１３】
更に、軸体８には、シート５を巻き付けるためのスリット８ｂが設けられており、上下のプレート部３ａ，３ｂ間において、シート５をスリット８ｂに差し込み、軸体８を回転することによって、シート５の巻取りを行うことができるようになされている。
【００１４】
また、ロック機構として、軸体８のスリット８ｂが、上プレート部３ａの上方に突出するように備えられており、上プレート部３ａ上において、図４に示すように、軸体８のスリット８ｂにクサビ１１を打ち込むことにより、軸体下端部の下部抜止め材９との協働により、軸体８を不動状態に固定することができるようになされている。
【００１５】
上記のしわ取り機構では、型枠２の内面に設置したシート５の水平方向の端部を、機枠３のシート導出口４を通じて型枠外に導出し、上下のプレート部３ａ，３ｂ間において軸体８のスリット８ｂに通し、軸体８を回転させてシート５を巻き取っていくようにすれば、型枠内面のシート５に水平方向の引っ張り力が作用し、シート５が張られた状態になる。
【００１６】
その状態で、図３（イ）に示すように、シート５の上縁部に波形のしわを生じていれば、軸体８を外方に傾倒させることでそのしわが伸ばされ、また、図３（ロ）に示すように、シート５の下縁部に波形のしわを生じていれば、軸体８を回転変位させながら軸体８を内方に傾倒させることでそのしわが伸ばされる。
【００１７】
そして、その状態で、図４に示すように、上プレート部３ａ上において、軸体８のスリット８ｂにクサビ１１を打ち込めば、軸体８は回転動作も傾倒動作も阻止された固定状態に保持され、シート５はしわのないきれいな設置状態になる。
【００１８】
このように、軸体８へのシート５の巻き付け操作と、軸体８の回転操作と、軸体８の傾倒操作を行えば、シート５を型枠内面に対してしわのないきれいな設置状態にすることができ、特別な技量を必要とせず、誰もが容易に行うことができる。
【００１９】
その後は、図２（イ）に示すように、導出部カバーアングル１２で型枠コーナー部をカバーし、型枠内にコンクリートを打設すれば、しわ痕のないきれいなコンクリート面を形成することができる。
【００２０】
以上に、本発明の実施形態を示したが、本発明はこれに限られるものではなく、発明思想を逸脱しない範囲で各種の変更が可能である。例えば、上記の実施形態では、本発明のしわ取り機構を型枠のコーナー部に用いた場合を示したが、型枠の直線部中間において用いることも可能である。また、本発明のしわ取り機構は、シートのいずれか一方の端部側にのみ備えさせて用いられてもよいし、シートの両端部にそれぞれ備えさせて用いられてもよい。また、上記の実施形態では、軸体８の傾倒支点が下端部である場合を示したが、上端部であってもよいし、上下方向の中間部であってもよい。また、ロック機構については、その他の各種メカニズムのものが採用されてよい。更に、シートは、遅延剤付きシートや透水シートなど、各種目的で型枠内面に設置されるシートであってよいことはいうまでもない。
【図面の簡単な説明】
【００２１】
【図１】実施形態のしわ取り機構を示すもので、図（イ）は設置常体の斜視図、図（ロ）は断面側面図である。
【図２】図（イ）は同平面図、図（ロ）は図（イ）のＩ−Ｉ線断面矢視図である。
【図３】図（イ）及び図（ロ）はシートの上下の縁部のしわを伸ばす方法を示す斜視図である。
【図４】図（イ）はロック機構を示す断面側面図、図（ロ）はその要部拡大図である。
【符号の説明】
【００２２】
１…しわ取り機構
２…型枠
４…シート導出口
５…シート
８…軸体
９…下部抜止め材（ロック機構）
１１…クサビ（ロック機構）
【図１】
2007077685.tif 000003
【図２】
2007077685.tif 000004
【図３】
2007077685.tif 000005
【図４】
2007077685.tif 000006